【手続補正書】
【提出日】平成26年11月5日(2014.11.5)
【手続補正１】
【補正対象書類名】明細書
【補正対象項目名】０１４１
【補正方法】変更
【補正の内容】
【０１４１】
本発明をその好ましい実施形態を参照しながら具体的に示し説明してきたが、当業者によって、形および詳細においてさまざまな変形が、添付の請求の範囲から逸脱することなく本発明の範囲内においてなされ得ることを理解されたい。
なお、本発明は、実施の態様として以下の内容を含む。
〔態様１〕
無線放送からのコンテンツ送信をユーザ装置にストリーミングする方法であって、
利用可能なコンテンツ送信のリストをユーザに提示することと、
前記利用可能なコンテンツ送信の中から選択されたコンテンツ送信を受信する要求を、前記ユーザから受信することと、
個別のユーザそれぞれのためのアンテナ素子を用いて前記選択されたコンテンツ送信を受信することと、
前記選択されたコンテンツ送信を前記ユーザ装置にストリーミングすることとを含む、ストリーミング方法。
〔態様２〕
態様１に記載の方法において、放送事業体から前記選択されたコンテンツ送信を受信するように、前記アンテナ素子をチューニングすることをさらに含む、ストリーミング方法。
〔態様３〕
態様１に記載の方法において、コンテンツ送信データを生成するように、前記アンテナ素子からのフィードを復調することをさらに含む、ストリーミング方法。
〔態様４〕
態様３に記載の方法において、前記コンテンツ送信のデータを異なる符号化にトランスコードすることをさらに含む、ストリーミング方法。
〔態様５〕
態様４に記載の方法において、前記コンテンツ送信のデータは、ＭＰＥＧ−２からＭＰＥＧ−４の符号化にトランスコードされる、ストリーミング方法。
〔態様６〕
態様３に記載の方法において、前記コンテンツ送信のデータを２つ以上の異なる解像度にトランスコードすることをさらに含む、ストリーミング方法。
〔態様７〕
態様６に記載の方法において、前記ユーザ装置の解像度に基づいて判定される解像度で、前記トランスコードされたコンテンツ送信のデータを前記ユーザ装置にストリーミングすることをさらに含む、ストリーミング方法。
〔態様８〕
態様１に記載の方法において、前記選択されたコンテンツ送信を前記ユーザにストリーミングする前に、前記選択されたコンテンツ送信をファイル格納部に格納することをさらに含む、ストリーミング方法。
〔態様９〕
態様８に記載の方法において、前記ファイル格納部は、前記選択されたコンテンツ送信を、個別のユーザそれぞれのための別々の位置に格納する、ストリーミング方法。
〔態様１０〕
態様１に記載の方法において、いずれのアンテナ素子が前記ユーザの前記選択されたコンテンツ送信を受信するのに最適化されているかに基づいて、利用可能なアンテナ素子から前記アンテナ素子を前記ユーザに割り当てることをさらに含む、ストリーミング方法。
〔態様１１〕
態様１に記載の方法において、利用可能なコンテンツ送信の前記リストは、前記ユーザそれぞれの地理的位置において利用可能な前記無線放送に基づく、ストリーミング方法。
〔態様１２〕
態様１に記載の方法において、ユーザには、個別のユーザそれぞれに選択された前記アンテナ素子によって受信された前記選択されたコンテンツ送信のみがストリーミングされる、ストリーミング方法。
〔態様１３〕
態様１に記載の方法において、ユーザがコンテンツ送信を要求すると即座に、アンテナ素子を割り当てることをさらに含む、ストリーミング方法。
〔態様１４〕
態様１に記載の方法において、コンテンツ送信に対する前記要求を満たすのに使用されるアンテナ素子をユーザの専用にすることをさらに含む、ストリーミング方法。
〔態様１５〕
コンテンツ送信をユーザ装置にストリーミングするシステムであって、
利用可能なコンテンツ送信のリストをユーザに提示するアプリケーションサーバであって、前記利用可能なコンテンツ送信の中から選択されたコンテンツ送信を受信する要求を、前記ユーザ装置から受信する、アプリケーションサーバと、
個別のユーザそれぞれのために前記選択されたコンテンツ送信を受信するようにアンテナ素子を制御するアンテナ制御部と、
前記選択されたコンテンツ送信をコンテンツデータとして前記ユーザ装置にストリーミングするストリーミングサーバとを含む、ストリーミングシステム。
〔態様１６〕
態様１５に記載のシステムにおいて、アンテナ制御部の制御下において、放送事業体から前記選択されたコンテンツ送信を受信するように、前記アンテナ素子をチューニングするチューナをさらに含む、ストリーミングシステム。
〔態様１７〕
態様１５に記載のシステムにおいて、コンテンツデータを生成するように、前記アンテナ素子からのフィードを復調および復号化する復調器をさらに含む、ストリーミングシステム。
〔態様１８〕
態様１７に記載のシステムにおいて、前記コンテンツ送信のデータを異なる符号化に変換するトランスコーダをさらに含む、ストリーミングシステム。
〔態様１９〕
態様１８に記載のシステムにおいて、前記コンテンツ送信のデータは、前記トランスコーダによってＭＰＥＧ−２からＭＰＥＧ−４符号化に変換される、ストリーミングシステム。
〔態様２０〕
態様１８に記載のシステムにおいて、前記トランスコーダは、前記コンテンツ送信のデータを２つ以上の異なる解像度に変換する、ストリーミングシステム。
〔態様２１〕
態様２０に記載のシステムにおいて、前記ストリーミングサーバは、前記ユーザ装置の解像度に基づいて判定される解像度で、前記トランスコードされたコンテンツデータを前記ユーザ装置にストリーミングする、ストリーミングシステム。
〔態様２２〕
態様１５に記載のシステムにおいて、前記ユーザ装置にストリーミングする前に前記コンテンツデータを格納するファイル格納部をさらに含む、ストリーミングシステム。
〔態様２３〕
態様２２に記載のシステムにおいて、前記ファイル格納部は、前記コンテンツデータを個別のユーザそれぞれのための別々の位置に格納する、ストリーミングシステム。
〔態様２４〕
態様１５に記載のシステムにおいて、いずれのアンテナ素子が前記選択されたコンテンツ送信を受信するのに最適化されているかに基づいて、利用可能なアンテナ素子から前記アンテナ素子をユーザに割り当てる前記アンテナ制御部をさらに含む、ストリーミングシステム。
〔態様２５〕
態様１５に記載のシステムにおいて、アプリケーションサーバは、前記ユーザそれぞれの地理的位置において利用可能な前記無線放送に基づいて、利用可能なコンテンツ送信の前記リストを提供する、ストリーミングシステム。
〔態様２６〕
態様１５に記載のシステムにおいて、ユーザには、個別のユーザそれぞれに選択された前記アンテナ素子によって受信された前記選択されたコンテンツ送信のみがストリーミングされる、ストリーミングシステム。
〔態様２７〕
態様１５に記載のシステムにおいて、前記アンテナ制御部は、ユーザがコンテンツ送信を要求すると即座に、前記アンテナ素子を割り当てる、ストリーミングシステム。
〔態様２８〕
態様１５に記載のシステムにおいて、前記アンテナ制御部は、コンテンツ送信に対する前記要求を満たすのに使用される前記アンテナ素子をユーザの専用にする、ストリーミングシステム。
〔態様２９〕
無線放送をキャプチャシステムであって、
コンテンツ送信の無線放送を受信するアンテナ素子のサブアレイであって、それぞれ、異なる放送事業体から無線放送を受信するように最適化される、サブアレイと、
前記放送事業体からのコンテンツ送信に対するユーザ要求を受信するアプリケーションサーバと、
前記ユーザによって要求された前記コンテンツ送信を生成する前記放送事業体を検出するためにアンテナ素子のいずれのサブアレイが最適化されているかに基づいて、前記ユーザそれぞれに個別のアンテナ素子を割り当てるアンテナ制御部とを含む、キャプチャシステム。
〔態様３０〕
無線放送をキャプチャする方法であって、
アンテナ素子のサブアレイを用いてコンテンツ送信の無線放送を受信することであって、アンテナ素子の各サブアレイは異なる放送事業体から無線放送を受信するように最適化される、受信することと、
前記放送事業体からのコンテンツ送信に対するユーザ要求を受信することと、
前記コンテンツ送信を生成する前記放送事業体を検出するために前記サブアレイのうちのいずれが最適化されているかに基づいて、前記個別のユーザそれぞれに前記コンテンツ送信を受信するように、前記サブアレイの中から個別のアンテナ素子を割り当てることとを含む、キャプチャ方法。
〔態様３１〕
コンテンツ送信をユーザ装置にストリーミングするシステムであって、
利用可能なコンテンツ送信のリストをユーザに提示するアプリケーションサーバであって、前記利用可能なコンテンツ送信の中から選択されたコンテンツ送信を受信する要求を、前記ユーザ装置から受信する、アプリケーションサーバと、
アンテナ制御部であって、個別のユーザそれぞれのために前記選択されたコンテンツ送信を受信するようにアンテナ素子を制御し、ユーザが将来見たいと思うであろうと当該アンテナ制御部が予測するコンテンツ送信を受信するために、ユーザによって現在使用されていないアンテナ素子を割り当てる、アンテナ制御部と、
前記選択されたコンテンツ送信をコンテンツデータとして前記ユーザ装置にストリーミングするストリーミングサーバであって、あるユーザが前記予測されたコンテンツ送信のうちの１つを視聴することを所望すると、前記アンテナ素子からのフィードによって生成される前記コンテンツデータが、当該ユーザに割り振られて当該ユーザにストリーミングされる、ストリーミングサーバとを含む、システム。
〔態様３２〕
録画済みコンテンツ送信をユーザ装置にストリーミングする方法であって、
前記コンテンツ送信をコンテンツデータとして放送ファイル格納部に格納することであって、前記コンテンツデータは、個別の前記ユーザそれぞれに対して一意的に割り振られ、かつアンテナフィードからの無線放送をキャプチャすることによって生成される、格納することと、
前記ユーザそれぞれの要求により録画された録画済みコンテンツ送信のリストを前記ユーザに提示することと、
前記ユーザによる選択に応答して、前記録画済みコンテンツ送信に対する前記コンテンツデータにアクセスし、前記対応するユーザ用のユーザ装置に前記コンテンツデータをストリーミングすることとを含む、ストリーミング方法。
〔態様３３〕
態様３２に記載の方法において、放送ファイル格納部内の前記格納されたコンテンツ送信は、前記ユーザのユーザアカウントの存続期間中、前記ユーザそれぞれに対して一意的に割り当てられるアンテナ素子を用いてキャプチャされる、ストリーミング方法。
〔態様３４〕
態様３２に記載の方法において、放送ファイル格納部内の前記格納されたコンテンツ送信は、前記コンテンツ送信の存続期間中、前記ユーザそれぞれに対して一意的に割り当てられるアンテナ素子を用いてキャプチャされる、ストリーミング方法。
〔態様３５〕
態様３２に記載の方法において、前記コンテンツ送信をキャプチャしたアンテナ素子は、前記放送ファイル格納部内の前記コンテンツデータで識別される、ストリーミング方法。
〔態様３６〕
態様３２に記載の方法において、前記放送ファイル格納部内の前記一意的に割り振られたコンテンツデータに、ユーザがユーザアカウントを用いてアクセスすることをさらに含む、ストリーミング方法。
〔態様３７〕
態様３２に記載の方法において、前記録画済みコンテンツ送信を格納することは、少なくとも２つの解像度で前記コンテンツデータを格納することを含む、ストリーミング方法。
〔態様３８〕
態様３７に記載の方法において、前記ユーザ装置の解像度を判定し、その後、前記コンテンツデータの高解像度版をストリーミングするか低解像度版をストリーミングするかを選択することをさらに含む、ストリーミング方法。
〔態様３９〕
態様３２に記載の方法において、前記ファイル格納部に格納される各コンテンツデータは、前記コンテンツデータが割り振られている前記ユーザを識別するユーザ情報によって識別される、ストリーミング方法。
〔態様４０〕
態様３２に記載の方法において、前記ファイル格納部に格納されるコンテンツデータは、前記コンテンツデータの生成の元となる前記無線放送をキャプチャするために使用されたアンテナ素子を識別するアンテナ情報によって識別される、ストリーミング方法。
〔態様４１〕
態様３２に記載の方法において、前記ファイル格納部に格納されるコンテンツデータは、前記コンテンツデータの生成の元となる前記無線放送がキャプチャされた時刻を識別する、時刻情報によって識別される、ストリーミング方法。
〔態様４２〕
録画済みコンテンツ送信をストリーミングするシステムであって、
ユーザの別々のアカウントへのアクセスを提供するアプリケーションサーバであって、アンテナフィードからの無線放送をキャプチャすることによって前記別々のユーザそれぞれの要求により録画された、録画済みコンテンツ送信のリストを前記ユーザに提供する、アプリケーションサーバと、
前記録画済みコンテンツ送信に対するコンテンツデータであって、別々の前記ユーザそれぞれに対して一意的に割り振られているコンテンツデータにアクセスし、前記コンテンツデータを前記ユーザの装置にストリーミングする、ストリーミングサーバとを含む、ストリーミングシステム。
〔態様４３〕
態様４２に記載のシステムにおいて、前記コンテンツデータを格納する放送ファイル格納部をさらに含む、ストリーミングシステム。
〔態様４４〕
態様４３に記載のシステムにおいて、前記放送ファイル格納部内の前記録画済みコンテンツ送信の前記無線放送をキャプチャするのに使用される１つ以上のアンテナ素子をさらに含み、前記ファイル格納部は、前記無線放送のそれぞれをキャプチャするのに使用されたアンテナ素子を識別する、ストリーミングシステム。
〔態様４５〕
態様４３に記載のシステムにおいて、前記ファイル格納部は、少なくとも２つの解像度で前記録画済みコンテンツ送信を格納する、システム。
〔態様４６〕
態様４５に記載のシステムにおいて、前記ストリーミングサーバは、前記ユーザ装置の解像度に基づいて、前記解像度の１つで前記コンテンツ送信のうちの１つをストリーミングする、ストリーミングシステム。
〔態様４７〕
態様４３に記載のシステムにおいて、
前記ファイル格納部内に格納されたコンテンツデータは、前記コンテンツデータが割り振られた前記ユーザを識別するユーザ情報によって識別される、ストリーミングシステム。
〔態様４８〕
録画済みコンテンツ送信を格納するファイル格納システムであって、
格納されたコンテンツデータであって、アンテナフィードからの無線放送からキャプチャされたコンテンツ送信から生成された、格納されたコンテンツデータを含む、ファイル格納システム。
〔態様４９〕
態様４８に記載のシステムにおいて、コンテンツデータは、少なくとも２つの解像度によるコンテンツ送信を含む、ファイル格納システム。
〔態様５０〕
態様４８に記載のシステムにおいて、コンテンツデータは、少なくとも３つの解像度によるコンテンツ送信を含む、ファイル格納システム。
〔態様５１〕
態様４８に記載のシステムにおいて、前記ファイル格納部に格納されているコンテンツデータは、前記コンテンツデータが割り振られた前記ユーザを識別するユーザ情報によって識別される、ファイル格納システム。
〔態様５２〕
態様４８に記載のシステムにおいて、前記ファイル格納部に格納されたコンテンツデータは、前記無線放送をキャプチャするのに使用されたアンテナ素子を識別するアンテナ情報によって識別される、ファイル格納システム。
〔態様５３〕
無線放送を別々に受信するアンテナ素子の２次元アレイであって、１平方メートルにつき少なくとも１０のアンテナ素子の密度を有する、アンテナ素子の２次元アレイと、
前記別々のアンテナ素子によって受信された無線放送を、データ格納システムに格納されるコンテンツデータに変換するエンコーダシステムとを含む、アンテナシステム。
〔態様５４〕
態様５３に記載のシステムであって、前記アンテナ素子が無指向性アンテナ素子である、アンテナシステム。
〔態様５５〕
態様５３に記載のシステムにおいて、前記アンテナ素子が対称２重ループアンテナ素子である、アンテナシステム。
〔態様５６〕
態様５３に記載のシステムにおいて、
アンテナ素子の前記２次元アレイの複数と、
互いに隣接する前記複数の２次元アレイを支持する筐体とをさらに含む、アンテナシステム。
〔態様５７〕
態様５６に記載のシステムにおいて、アンテナ素子の前記複数の２次元アレイが、前記筐体内に３次元アレイを形成する、アンテナシステム。
〔態様５８〕
態様５３に記載のシステムにおいて、アンテナ素子の前記２次元アレイおよび前記エンコーダシステムの少なくとも一部が、共通の回路基板に実装される、アンテナシステム。
〔態様５９〕
態様５８に記載のシステムにおいて、
前記エンコーダシステムは、前記回路基板に実装された復調器を含む、アンテナシステム。
〔態様６０〕
態様５３に記載の前記システムにおいて、前記２次元アレイの前記アンテナ素子をチューニングする無線周波数チューナをさらに含む、アンテナシステム。
〔態様６１〕
態様６０に記載のシステムにおいて、アンテナ素子の前記２次元アレイおよび前記無線周波数チューナは、共通の回路基板に実装される、アンテナシステム。
〔態様６２〕
態様６１に記載のシステムにおいて、前記回路基板は、少なくとも５０のアンテナ素子を含む、アンテナシステム。
〔態様６３〕
態様５３に記載のシステムにおいて、前記アンテナ素子は１平方メートルにつき少なくとも５０のアンテナ素子の密度を有する、アンテナシステム。
〔態様６４〕
態様５３に記載のシステムにおいて、前記アンテナ素子は半球状指向性アンテナ素子である、アンテナシステム。
〔態様６５〕
アンテナ素子のアレイを用いて無線放送を受信する方法であって、
前記無線放送を受信するアンテナ素子の２次元アレイであって、１平方メートルにつき少なくとも１０のアンテナ素子の密度を有する、アンテナ素子の２次元アレイを提供することと、
アンテナ素子の前記アレイで前記無線放送を受信することと、
データ格納装置に格納されるコンテンツデータに前記無線放送を符号化することとを含む、無線放送受信方法。
〔態様６６〕
態様６５に記載の方法において、
アンテナ素子の前記２次元アレイの複数を提供することと、
互いに隣接する前記複数の２次元アレイを収容することとさらに含む、無線放送受信方法。
〔態様６７〕
態様６６に記載の方法において、アンテナ素子の前記複数の２次元アレイから３次元アレイを形成することをさらに含む、無線放送受信方法。
〔態様６８〕
態様６５に記載の前記方法において、アンテナ素子の前記２次元アレイと前記アンテナ素子用のチューナとを共通の回路基板に実装することをさらに含む、無線放送受信方法。
〔態様６９〕
態様６５に記載の方法において、前記２次元アレイ内に少なくとも５０のアンテナ素子を設けることをさらに含む、無線放送受信方法。
〔態様７０〕
態様６５に記載の方法において、前記アンテナ素子は１平方メートルにつき少なくとも５０のアンテナ素子の密度を有する、無線放送受信方法。
〔態様７１〕
アンテナフィードを処理するシステムであって、
コンテンツ無線放送を受信するアンテナ素子と、
アンテナ処理パイプラインであって、各パイプラインは、前記アンテナ素子からの前記アンテナフィードを復調して、前記アンテナ素子によって受信された、前記コンテンツ無線放送に対するコンテンツデータを生成する、アンテナ処理パイプラインと、
前記アンテナ素子それぞれを前記アンテナ処理パイプラインのうちのいずれか１つに選択的に接続するスイッチングシステムと、
前記コンテンツに対するユーザ要求を満たすように、前記スイッチングシステムを制御して前記コンテンツデータの生成を可能にするアンテナ制御部とを含む、アンテナフィード処理システム。
〔態様７２〕
態様７１に記載のシステムにおいて、前記アンテナフィードを復調する前記パイプラインのそれぞれは、前記アンテナ素子からの前記アンテナフィードを復調する復調器の群から選択される復調器を含む、アンテナフィード処理システム。
〔態様７３〕
態様７２に記載のシステムにおいて、復調器の前記群からの前記復調器のいずれもが利用可能でない場合、前記アンテナ制御部は代替の復調器を探索する、アンテナフィード処理システム。
〔態様７４〕
態様７３に記載のシステムにおいて、前記アンテナ制御部が代替の復調器を捜し出した場合、前記アンテナ制御部は、前記代替の復調器に前記アンテナ素子を接続して追加のアンテナ処理パイプラインを生成するように、前記スイッチングシステムを設定する、アンテナフィード処理システム。
〔態様７５〕
態様７１に記載のシステムにおいて、前記アンテナ素子は前記アンテナ処理パイプラインの数を上回る、アンテナフィード処理システム。
〔態様７６〕
態様７１に記載のシステムにおいて、前記アンテナ素子はユーザに一時的に割り当てられる、アンテナフィード処理システム。
〔態様７７〕
態様７１に記載のシステムにおいて、前記アンテナ素子は、ユーザのユーザアカウントの存続期間中、当該ユーザの専用とされる、アンテナフィード処理システム。
〔態様７８〕
態様７１に記載のシステムにおいて、前記アンテナ素子からの前記アンテナフィードを復調する前記パイプラインは、無線周波数チューナを含み、各無線周波数チューナは、前記アンテナ素子のそれぞれが異なるコンテンツ無線放送を受信できるように個別にチューニング可能である、アンテナフィード処理システム。
〔態様７９〕
態様７８に記載のシステムにおいて、前記無線周波数チューナは、前記アンテナ素子に直接接続される、アンテナフィード処理システム。
〔態様８０〕
態様７８に記載のシステムにおいて、前記無線周波数チューナは、前記スイッチングシステムによって前記アンテナ素子に選択的に接続される、アンテナフィード処理システム。
〔態様８１〕
アンテナフィードを処理する方法であって、
アンテナ素子を用いてコンテンツ無線放送を受信することと、
前記アンテナ素子からの前記アンテナフィードを復調して、前記アンテナ素子によって受信された前記コンテンツ無線放送に対するコンテンツデータを生成するように、アンテナ処理パイプラインを提供することと、
スイッチングシステムを用いて前記アンテナ素子それぞれを前記アンテナ処理パイプラインのうちのいずれか１つに接続することとを含む、方法。
〔態様８２〕
態様８１に記載の方法において、コンテンツに対するユーザ要求を満たすために前記コンテンツデータを生成するように、前記スイッチングシステムを設定することさらに含む、アンテナフィード処理方法。
〔態様８３〕
態様８１に記載の方法において、前記アンテナフィードを復調する前記パイプラインのそれぞれは復調器を含み、当該方法は、前記アンテナ素子からの前記アンテナフィードを復調するように復調器の群から選択することをさらに含む、アンテナフィード処理方法。
〔態様８４〕
態様８３に記載の方法において、復調器の前記群からの前記復調器のいずれもが利用可能でない場合、代替の復調器を探索することをさらに含む、アンテナフィード処理方法。
〔態様８５〕
態様８４に記載の方法において、前記代替の復調器に前記アンテナ素子を接続して追加のアンテナ処理パイプラインを生成するように、前記スイッチングシステムを設定することをさらに含む、アンテナフィード処理方法。
〔態様８６〕
態様８１に記載の方法において、前記アンテナ素子をユーザに一時的に割り当てることをさらに含む、アンテナフィード処理方法。
〔態様８７〕
態様８１に記載の方法において、前記アンテナ素子を、特定のユーザのユーザアカウントの存続期間中、当該特定のユーザの専用とすることをさらに含む、アンテナフィード処理方法。
〔態様８８〕
態様８１に記載の方法において、前記アンテナ素子からの前記アンテナフィードを復調する前記パイプラインは、無線周波数チューナを含み、各無線周波数チューナは、前記アンテナ素子それぞれが異なるコンテンツ無線放送を受信できるように個別にチューニング可能である、アンテナフィード処理方法。
〔態様８９〕
態様８８に記載の方法において、前記無線周波数チューナは、前記アンテナ素子に直接接続される、アンテナフィード処理方法。
〔態様９０〕
態様８８に記載の方法において、前記無線周波数チューナは、前記スイッチングシステムによって前記アンテナ素子に選択的に接続される、アンテナフィード処理方法。
〔態様９１〕
アンテナ素子に処理パイプラインを割り当てる方法であって、
コンテンツ無線放送を受信するアンテナ素子をユーザの専用にすることと、
コンテンツに対するユーザ要求に応答して、前記コンテンツ無線放送を復調するための利用可能な処理パイプラインを探索することと、
処理パイプラインを捜し出すと、前記ユーザの専用のアンテナ素子に前記処理パイプラインを割り当てて、前記ユーザの永久に割り当てられたアンテナ素子に前記処理パイプラインを接続することとを含む、処理パイプライン割当て方法。
〔態様９２〕
態様９１に記載の方法において、前記処理パイプラインは、前記ユーザの永久に割り当てられたアンテナ素子にスイッチングシステムを用いて接続される、処理パイプライン割当て方法。
〔態様９３〕
態様９１に記載の方法において、前記無線コンテンツは、前記ユーザの永久に割り当てられたアンテナを用いて受信される、処理パイプライン割当て方法。
〔態様９４〕
態様９１に記載の方法において、前記割り当てられた処理パイプラインは、前記無線コンテンツをコンテンツ送信として復調する、処理パイプライン割当て方法。
〔態様９５〕
態様９４に記載の方法において、前記コンテンツ送信をユーザ装置にストリーミングすることをさらに含む、処理パイプライン割当て方法。
〔態様９６〕
態様９１に記載の方法において、前記アンテナ素子を前記ユーザにリースすることをさらに含む、処理パイプライン割当て方法。
〔態様９７〕
態様９１に記載の方法において、前記アンテナ素子を前記ユーザに売却することをさらに含む、処理パイプライン割当て方法。
〔態様９８〕
無線放送を受信するプリント回路基板であって、
無線放送を受信するアンテナ素子と、
前記アンテナ素子のための無線周波数チューナであって、前記無線放送を別々に受信するように前記アンテナ素子を個別にチューニングする、無線周波数チューナと、
前記無線周波数チューナから前記無線放送の前記別々のコピーを受信し、前記無線放送をコンテンツデータに符号化する復調器と、
前記アンテナ素子からのフィードを異なる復調器に接続するセレクタスイッチとを含む、プリント回路基板。
〔態様９９〕
態様９８に記載のプリント回路基板において、前記アンテナ素子のうちの異なるアンテナ素子に前記無線周波数チューナを接続するセレクタスイッチをさらに含む、プリント回路基板。
〔態様１００〕
コンテンツ送信をユーザ装置にストリーミングするシステムであって、
利用可能なコンテンツ送信のリストをユーザに提示するアプリケーションサーバであって、前記利用可能なコンテンツ送信の中から選択されたコンテンツ送信を受信する要求を、前記ユーザ装置から受信する、アプリケーションサーバと、
個別のユーザの前記コンテンツ送信を検出するために専用とされるアンテナ素子と、
前記選択されたコンテンツ送信をコンテンツデータとして前記ユーザ装置にストリーミングするストリーミングサーバとを含む、システム。
〔態様１０１〕
態様１００に記載のシステムにおいて、前記アンテナ素子は前記ユーザに売却される、システム。
〔態様１０２〕
態様１００に記載のシステムにおいて、前記アンテナ素子は前記ユーザにリースされる、システム。
【手続補正２】
【補正対象書類名】特許請求の範囲
【補正対象項目名】全文
【補正方法】変更
【補正の内容】
【特許請求の範囲】
【請求項１】
無線放送からのコンテンツ送信をユーザ装置にストリーミングする方法であって、
利用可能なコンテンツ送信のリストをユーザに提示することと、
前記利用可能なコンテンツ送信の中から選択されたコンテンツ送信を受信する要求を、前記ユーザから受信することと、
個別のユーザそれぞれのためのアンテナ素子を用いて前記選択されたコンテンツ送信を受信することと、
前記選択されたコンテンツ送信を前記ユーザ装置にストリーミングすることとを含む、ストリーミング方法。
【請求項２】
請求項１に記載の方法において、地上波テレビ放送事業体から前記選択されたコンテンツ送信を受信するように、前記アンテナ素子をチューニングすることをさらに含む、ストリーミング方法。
【請求項３】
請求項１または２に記載の方法において、コンテンツ送信データを生成するように、前記アンテナ素子からのフィードを復調することと、
前記コンテンツ送信のデータを、異なる符号化および２つ以上の異なる解像度にトランスコードすることとをさらに含む、ストリーミング方法。
【請求項４】
請求項３に記載の方法において、前記ユーザ装置の解像度に基づいて判定される解像度で、前記トランスコードされたコンテンツ送信のデータを前記ユーザ装置にストリーミングすることをさらに含む、ストリーミング方法。
【請求項５】
請求項１から４のいずれか一項に記載の方法において、前記選択されたコンテンツ送信を前記ユーザにストリーミングする前に、前記選択されたコンテンツ送信をファイル格納部に格納することをさらに含む、ストリーミング方法。
【請求項６】
請求項１から５のいずれか一項に記載の方法において、利用可能なコンテンツ送信の前記リストは、前記ユーザそれぞれの地理的位置において利用可能な前記無線放送に基づく、ストリーミング方法。
【請求項７】
請求項１から６のいずれか一項に記載の方法において、コンテンツ送信に対する前記要求を満たすのに使用されるアンテナ素子をユーザの専用にすることをさらに含む、ストリーミング方法。
【請求項８】
コンテンツ送信をユーザ装置にストリーミングするシステムであって、
利用可能なコンテンツ送信のリストをユーザに提示するアプリケーションサーバであって、前記利用可能なコンテンツ送信の中から選択されたコンテンツ送信を受信する要求を、前記ユーザ装置から受信する、アプリケーションサーバと、
個別のユーザそれぞれのために前記選択されたコンテンツ送信を受信するようにアンテナ素子を制御するアンテナ制御部と、
前記選択されたコンテンツ送信をコンテンツデータとして前記ユーザ装置にストリーミングするストリーミングサーバとを含む、ストリーミングシステム。
【請求項９】
請求項８に記載のシステムにおいて、アンテナ制御部の制御下において、地上波テレビ放送事業体から前記選択されたコンテンツ送信を受信するように、前記アンテナ素子をチューニングするチューナをさらに含む、ストリーミングシステム。
【請求項１０】
請求項８または９に記載のシステムにおいて、２つ以上の異なる解像度で前記コンテンツ送信のデータを異なる符号化に変換するトランスコーダをさらに含む、ストリーミングシステム。
【請求項１１】
請求項１０に記載のシステムにおいて、前記ストリーミングサーバは、前記ユーザ装置の解像度に基づいて判定される解像度で、前記トランスコードされたコンテンツデータを前記ユーザ装置にストリーミングする、ストリーミングシステム。
【請求項１２】
請求項８から１１のいずれか一項に記載のシステムにおいて、前記ユーザ装置にストリーミングする前に前記コンテンツデータを個別のユーザそれぞれのために格納するファイル格納部をさらに含む、ストリーミングシステム。
【請求項１３】
請求項８から１２のいずれか一項に記載のシステムにおいて、前記アプリケーションサーバは、前記ユーザそれぞれの地理的位置において利用可能な前記無線放送に基づいて、利用可能なコンテンツ送信の前記リストを提供する、ストリーミングシステム。
【請求項１４】
無線放送をキャプチャシステムであって、
コンテンツ送信の無線放送を受信するアンテナ素子のサブアレイであって、それぞれ、異なる放送事業体から無線放送を受信するように最適化される、サブアレイと、
前記放送事業体からのコンテンツ送信に対するユーザ要求を受信するアプリケーションサーバと、
前記ユーザによって要求された前記コンテンツ送信を生成する前記放送事業体を検出するためにアンテナ素子のいずれのサブアレイが最適化されているかに基づいて、前記ユーザそれぞれに個別のアンテナ素子を割り当てるアンテナ制御部とを含む、キャプチャシステム。
【請求項１５】
無線放送をキャプチャする方法であって、
アンテナ素子のサブアレイを用いてコンテンツ送信の無線放送を受信することであって、アンテナ素子の各サブアレイは異なる放送事業体から無線放送を受信するように最適化される、受信することと、
前記放送事業体からのコンテンツ送信に対するユーザ要求を受信することと、
前記コンテンツ送信を生成する前記放送事業体を検出するために前記サブアレイのうちのいずれが最適化されているかに基づいて、前記個別のユーザそれぞれに前記コンテンツ送信を受信するように、前記サブアレイの中から個別のアンテナ素子を割り当てることとを含む、キャプチャ方法。
【請求項１６】
コンテンツ送信をユーザ装置にストリーミングするシステムであって、
利用可能なコンテンツ送信のリストをユーザに提示するアプリケーションサーバであって、前記利用可能なコンテンツ送信の中から選択されたコンテンツ送信を受信する要求を、前記ユーザ装置から受信する、アプリケーションサーバと、
アンテナ制御部であって、個別のユーザそれぞれのために前記選択されたコンテンツ送信を受信するようにアンテナ素子を制御し、ユーザが将来見たいと思うであろうと当該アンテナ制御部が予測するコンテンツ送信を受信するために、ユーザによって現在使用されていないアンテナ素子を割り当てる、アンテナ制御部と、
前記選択されたコンテンツ送信をコンテンツデータとして前記ユーザ装置にストリーミングするストリーミングサーバであって、あるユーザが前記予測されたコンテンツ送信のうちの１つを視聴することを所望すると、前記アンテナ素子からのフィードによって生成される前記コンテンツデータが、当該ユーザに割り振られて当該ユーザにストリーミングされる、ストリーミングサーバとを含む、システム。
【請求項１７】
録画済みコンテンツ送信をユーザ装置にストリーミングする方法であって、
前記コンテンツ送信をコンテンツデータとして放送ファイル格納部に格納することであって、前記コンテンツデータは、個別の前記ユーザそれぞれに対して一意的に割り振られ、かつアンテナフィードからの無線放送をキャプチャすることによって生成される、格納することと、
前記ユーザそれぞれの要求により録画された録画済みコンテンツ送信のリストを前記ユーザに提示することと、
前記ユーザによる選択に応答して、前記録画済みコンテンツ送信に対する前記コンテンツデータにアクセスし、前記対応するユーザ用のユーザ装置に前記コンテンツデータをストリーミングすることとを含む、ストリーミング方法。
【請求項１８】
録画済みコンテンツ送信をストリーミングするシステムであって、
ユーザの別々のアカウントへのアクセスを提供するアプリケーションサーバであって、アンテナフィードからの無線放送をキャプチャすることによって前記別々のユーザそれぞれの要求により録画された、録画済みコンテンツ送信のリストを前記ユーザに提供する、アプリケーションサーバと、
前記録画済みコンテンツ送信に対するコンテンツデータであって、別々の前記ユーザそれぞれに対して一意的に割り振られているコンテンツデータにアクセスし、前記コンテンツデータを前記ユーザの装置にストリーミングする、ストリーミングサーバとを含む、ストリーミングシステム。
【請求項１９】
録画済みコンテンツ送信を格納するファイル格納システムであって、
格納されたコンテンツデータであって、アンテナフィードからの無線放送からキャプチャされたコンテンツ送信から生成された、格納されたコンテンツデータを含む、ファイル格納システム。
【請求項２０】
請求項１９に記載のシステムにおいて、コンテンツデータは、少なくとも２つの解像度によるコンテンツ送信を含む、ファイル格納システム。